【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
機能的被覆を備えたガラス表面に機能的特性を回復する方法であって、
機能的被覆を備えたガラス表面を準備する工程と、
前記ガラス表面上に備えられた前記機能的被覆の前記機能的特性が回復されるまで、溶液またはゲルに分散させた研磨粒子で前記機能的被覆を処理する工程とを含む方法。
【請求項２】
前記機能的被覆と前記研磨粒子とが、それぞれ３〜８のモース尺度における硬度を有し、前記研磨粒子の硬度が前記機能的被覆の硬度以下である請求項１に記載の方法。
【請求項３】
前記機能的被覆が、親水性、疎水性、または光触媒性の特性を有し、前記研磨粒子が親水性、疎水性、または光触媒性の特性を有する材料を含む請求項１または２に記載の方法。
【請求項４】
前記機能的被覆および前記研磨粒子が、それぞれ、金属酸化物、金属窒化物、金属酸窒化物、金属酸化物化合物、金属窒化物化合物、金属酸窒化物化合物、またはそれらの組み合わせからなる群から選択される１つ以上の材料を含む請求項１〜３のいずれかに記載の方法。
【請求項５】
前記機能的被覆が、一つ以上の層を含み、環境にさらされる最外層を有し、前記最外層が金属酸化物、金属窒化物、金属酸窒化物、金属酸化物化合物、金属窒化物化合物、金属酸窒化物化合物、またはそれらの組み合わせを含む請求項１〜４のいずれかに記載の方法。
【請求項６】
前記機能的被覆が、一つ以上の層を含み、環境にさらされる最外層を有し、前記最外層が二酸化珪素または窒化チタンを含む請求項１〜５のいずれかに記載の方法。
【請求項７】
前記ガラス表面が、窓ガラス、断熱ガラスユニット、ガラス鏡、またはガラスレンズの露出表面である請求項１〜６のいずれかに記載の方法。
【請求項８】
前記研磨粒子が、１ミクロン〜５００ミクロンの範囲の平均粒径を有する請求項１〜７のいずれかに記載の方法。
【請求項９】
前記処理工程が、溶液またはゲルに分散させた研磨粒子で前記表面を洗浄する工程を含み、前記研磨粒子が二酸化珪素、二酸化チタン、酸化亜鉛、酸化アルミニウム、トパーズ、炭化珪素、窒化チタン、窒化硼素、またはそれらの組み合わせからなる群から選択される請求項１〜８のいずれかに記載の方法。
【請求項１０】
前記研磨粒子が、二酸化珪素、二酸化チタン、酸化亜鉛、酸化アルミニウム、トパーズ、炭化珪素、窒化チタン、窒化硼素、またはそれらの組み合わせから選択される二つ以上の粒子を含む請求項１〜９のいずれかに記載の方法。
【請求項１１】
前記粒子が、シリカ粒子、シリカゲルおよび酸化チタン粒子からなる群から選択される１以上を含む請求項１〜１０のいずれかに記載の方法。
【請求項１２】
前記処理工程が、溶液に分散させた研磨粒子で前記表面を洗浄する工程を含み、前記溶液が、水、アルコール、弱酸性溶液、弱塩基性溶液、酢の溶液、または液体ガラスクリーナーを含む請求項１〜１１のいずれかに記載の方法。
【請求項１３】
前記処理工程が、溶液またはゲルに分散させた前記研磨粒子を前記表面に直接付着させ、布状体を使用して前記表面上に備えられた前記機能的被覆上に前記研磨粒子をこすりつける工程をさらに含む請求項１〜１１のいずれかに記載の方法。
【請求項１４】
前記処理工程が、研磨粒子を分散させた溶液に浸漬されて、または前記溶液を含浸させて予め包装された布状体を準備し、前記布状体で前記機能的被覆に前記研磨粒子をこすりつける工程をさらに含む請求項１〜１１のいずれかに記載の方法。
【請求項１５】
親水性特性を有する二酸化珪素被覆を備えた表面に親水性特性を回復する方法であって、
親水性特性を有する二酸化珪素被覆を備えた表面を準備する工程と、
前記被覆の親水性特性が回復されるまで、溶液またはゲルに分散させたシリカ研磨粒子で前記二酸化珪素被覆を処理する工程とを含む方法。
【請求項１６】
機能的被覆を備えた表面に機能的特性を回復するための組成物であって、前記組成物は溶液またはゲルに分散させた研磨粒子を含み、
前記研磨粒子が、金属酸化物、金属窒化物、金属酸窒化物、金属酸化物化合物、金属窒化物化合物、金属酸窒化物化合物、またはそれらの組み合わせからなる群から選択される１つ以上の材料を含む組成物。
【請求項１７】
前記機能的被覆と前記研磨粒子とが、それぞれ３〜８のモース尺度における硬度を有し、かつ、前記機能的被覆と前記研磨粒子とが、それぞれ硬度を有し、前記研磨粒子の硬度は、前記機能的被覆が前記粒子に処理される際に、前記粒子が前記被覆に目に見える擦り傷を付けないような硬度である請求項１６に記載の組成物。
【請求項１８】
前記研磨粒子が、１ミクロン〜５００ミクロンの範囲の平均粒径を有する請求項１６または１７に記載の組成物。
【請求項１９】
前記研磨粒子が、二酸化珪素、二酸化チタン、酸化亜鉛、酸化アルミニウム、トパーズ、炭化珪素、窒化チタン、および窒化硼素のひとつ以上から選択される粒子を含む請求項１６〜１８のいずれかに記載の組成物。
【請求項２０】
前記研磨粒子が、溶液に分散させたシリカ粒子を含む請求項１６〜１８のいずれかに記載の組成物。
【請求項２１】
前記研磨粒子が、ゲルに分散させたシリカ粒子を含む請求項１６〜１８のいずれかに記載の組成物。
【請求項２２】
前記研磨粒子が、溶液またはゲルに分散させた酸化チタン粒子を含む請求項１６〜１８のいずれかに記載の組成物。
【請求項２３】
前記研磨粒子が、水、アルコール、弱酸性溶液、弱塩基性溶液、酢の溶液、または液体ガラスクリーナーを含む溶液に分散されている請求項１６〜１８のいずれかに記載の組成物。
【請求項２４】
前記研磨粒子が、溶液に分散されており、前記溶液は前記粒子を分散させて、前記粒子と、前記機能性被覆と、処理工程中に前記機能性被覆に手動または機械的にこすり力を印加するために使用される布状体または他の材料との間の摩擦を低減する液体である請求項１６〜１８のいずれかに記載の組成物。
【請求項２５】
前記研磨粒子が、溶液に分散されており、前記溶液は前記粒子を分散させて、前記粒子と、前記表面と、処理工程中に前記表面に手動または機械的にこすり力を印加するために使用される布状体または他の材料との間の摩擦を低減する液体である請求項１６〜１８のいずれかに記載の組成物。
【請求項２６】
前記研磨粒子が、溶液に分散されており、前記溶液は水を含む請求項１６〜１８のいずれかに記載の組成物。
【請求項２７】
前記研磨粒子が、溶液に分散されており、前記粒子は溶液１００ミリリットル中、１／２ティースプーン〜８ティースプーンの研磨粒子である請求項１６〜１８のいずれかに記載の組成物。
【請求項２８】
前記研磨粒子が、溶液に分散されており、前記溶液は弱酸または弱塩基を含む請求項１６〜１８のいずれかに記載の組成物。
【請求項２９】
前記研磨粒子が、溶液に分散されており、前記溶液は酢を含む請求項１６〜１８のいずれかに記載の組成物。
【請求項３０】
前記研磨粒子が、溶液に分散されており、前記溶液はクエン酸を含む請求項１６〜１８のいずれかに記載の組成物。
【請求項３１】
前記研磨粒子が、溶液に分散されており、前記溶液は液体ガラスクリーナーを含む請求項１６〜１８のいずれかに記載の組成物。
【請求項３２】
前記研磨粒子が、溶液に分散されており、前記溶液はイソプロピルアルコールと水とを含む請求項１６〜１８のいずれかに記載の組成物。
【請求項３３】
前記研磨粒子が、溶液に分散されており、前記溶液は５０％のイソプロピルアルコールと５０％の水とを含む請求項１６〜１８のいずれかに記載の組成物。